(57)【特許請求の範囲】
【請求項１】
ガラス栓のネック部の幅と略等しい間隔で延びる一対の棒状の挟持部材と、
前記挟持部材の一端から、前記ガラス栓のネック部から頂部までの距離と略等しい間隔で前記挟持部材に対向して延びる棒状の係止部材と、
前記挟持部材から延びる柄部材と
を備えるガラス栓の洗浄用具。
【請求項２】
前記挟持部材、前記係止部材、及び前記柄部材は、可撓性を有する線材を折り曲げることによって形成され、前記挟持部材は、中央でＵ字状に折り曲げられて全体として直線的に延び、前記係止部材は、前記挟持部材の一端からＵ字状に折り曲げられて直線的に延び、前記柄部材は、前記挟持部材の他端から直線的に延びることを特徴とする請求項１記載のガラス栓の洗浄用具。
【請求項３】
前記挟持部材から延びる前記柄部材の先端に、操作用のハンドルをさらに備えることを特徴とする請求項２記載のガラス栓の洗浄用具。
【発明の詳細な説明】
【０００１】
【発明の属する技術分野】
本発明は、メスフラスコ等のガラス製容器のガラス栓を洗浄するための洗浄用具に関する。
【０００２】
【従来の技術】
メスフラスコは、分析等に用いられる関係から、丁寧で入念な洗浄を要する場合が多く、特にそのガラス栓は、最終的に手で洗浄するのが通常である。すなわち、数個のガラス栓を片方の手に持って洗剤や水を用いて洗浄を行い、洗浄後のガラス栓は洗浄した籠などに入れてまとめて乾燥していた。
【０００３】
【発明が解決しようとする課題】
しかし、例えば数十個のガラス栓を洗浄する場合、上記のような方法では作業が繁雑となり、乾燥する際にもガラス栓が散乱して取り扱いにくい。また、籠内でガラス栓とガラス栓とがぶつかり合ってガラス栓の破損が生じる場合もある。ここでメスフラスコは、その製造に際して容器状のフラスコ本体とガラス栓とを摺り合わせて仕上げを行うので、上記のような状況でガラス栓のみが破損しても、フラスコ全体が使えなくなって極めて無駄が多い。
【０００４】
なお、ガラス栓を超音波洗浄をすることもあるが、複数のガラス栓をまとめて洗浄するとガラス栓が相互に超音波振動して破損が生じたり、洗浄が不十分になりやすい。
【０００５】
そこで、本発明は、多数のガラス栓を簡易に洗浄することができ、かつ、洗浄に際してガラス栓に破損が生じにくいガラス栓の洗浄用具を提供することを目的とする。
【０００６】
【課題を解決するための手段】
上記課題を解決するため、本発明に係るガラス栓の洗浄用具は、ガラス栓のネック部の幅と略等しい間隔で延びる一対の棒状の挟持部材と、前記挟持部材の一端から、前記ガラス栓のネック部から頂部までの距離と略等しい間隔で前記挟持部に対向して延びる棒状の係止部材と、前記挟持部材から延びる柄部材とを備える。
【０００７】
上記洗浄用具では、一対の棒状の挟持部材がガラス栓のネック部の幅と略等しい間隔で延びるので、これらの挟持部材間に多数のガラス栓のネック部を挟持して並べることができる。また、棒状の係止部材がガラス栓のネック部から頂部までの距離と略等しい間隔で挟持部材に対向して延びるので、一対の挟持部材に挟持された多数のガラス栓が頂部側に抜け出すことを防止することができ、これらガラス栓の保持を確実なものとすることができる。これにより、多数のガラス栓のすり合わせ部分が互いに接触することを防止しつつ、これらガラス栓を一括して簡易に洗浄・乾燥することができる。さらに、挟持部材から延びる柄部材を利用すれば、挟持部材等に保持された多数のガラス栓を例えば超音波洗浄器の洗浄溶液中に簡易に浸漬して支持することができ、多数のガラス栓の簡易な洗浄が可能になる。
【０００８】
また、上記洗浄用具の具体的な態様では、前記挟持部材、前記係止部材、及び前記柄部材が、可撓性を有する線材（管材を含む）を折り曲げることによって形成され、前記挟持部材が、中央でＵ字状に折り曲げられて全体として直線的に延び、前記係止部材が、前記挟持部材の一端からＵ字状に折り曲げられて直線的に延び、前記柄部材が、前記挟持部材の他端から直線的に延びる。この場合、単一の線材を加工するだけで形成した簡単で軽量な構造の洗浄用具を提供することができる。このような洗浄用具では、線材の撓みを利用してガラス栓の装着を許容したり、装着されたガラス栓を簡易にロックすることができる。
【０００９】
また、上記洗浄用具の具体的な態様では、前記挟持部材から延びる前記柄部材の先端に操作用のハンドルをさらに備える。この場合、ハンドルによって洗浄用具の取り扱いがより簡単になり、洗浄の作業性が高まる。
【００１０】
【発明の実施の形態】
〔第１実施形態〕
以下、本発明に係る洗浄用具の第１実施形態について、図面を参照しつつ詳細に説明する。
【００１１】
図１は、第１実施形態の洗浄用具の形状を説明するためのもので、図１（ａ）は洗浄用具の側面図であり、図１（ｂ）はその正面図である。この洗浄用具１０は、外径３ｍｍで厚さ０．５ｍｍのＳＵＳ製の管材の端部を封止するとともにクリップ状に折り曲げて作製したものであり、ほぼ平行に延びる一対の棒状部分からなる挟持部１１と、挟持部１１の一端からこの挟持部１１とほぼ平行に延びる棒状部分からなる係止部１２と、挟持部１１の他端から延びる棒状の柄部材１３と、柄部材１３の先端に形成された環状のハンドル１４とを備える。
【００１２】
挟持部１１は、中央でＵ字状に折り曲げられて直線的に延びる一対の挟持部材である２つの管部分１１ａ、１１ｂからなり、全体として１０ｃｍ程度の長さを有する。一方の管部分１１ａと他方の管部分１１ｂとは、正確には、互いに平行に近い捻れの関係を有して延びる。よって、両管部分１１ａ、１１ｂは、中央側で距離が短く両端側で距離が長い関係となっており、全体に亘って約１ｃｍ程度の間隔を有している。なお、両管部分１１ａ、１１ｂの間隔は、洗浄の対象となるメスフラスコのガラス栓のネック部の幅よりわずかに大きいものの、このネック部の幅とほぼ等しく設定されている。
【００１３】
係止部１２は、挟持部１１を構成する一方の管部分１１ａの一端からＵ字状に折り曲げられて挟持部１１に対向して延びる。係止部１２は、挟持部１１を構成する各管部分１１ａ、１１ｂのそれぞれに対し、正確には、互いに平行に近い捻れの関係を有して延びる。よって、係止部１２と各管部分１１ａ、１１ｂとは、中央側で距離が短く両端側で距離が長い関係となっており、全体に亘って１ｃｍ程度の間隔を有している。なお、挟持部１１と係止部１２の間隔は、メスフラスコのガラス栓のネック部から頂部までの距離とほぼ等しくなっている。
【００１４】
柄部材１３は、挟持部１１を構成する一方の管部分１１ｂの一端からこの管部分１１ｂの延長方向にそのまま延びる。柄部材１３の長さは、この場合挟持部１１の長さとほぼ等しくしている。
【００１５】
ハンドル１４は、柄部材１３と同寸法であるが別の管材で形成され、柄部材１３の端部に溶接によって接続されている。このハンドル１４は、直径５ｃｍ程度の環となっているので、作業者が洗浄用具１０を保持したり操作する際に役立つ。また、ハンドル１４の孔は、フック等に引っ掛けるためのものでもあり、ガラス栓の洗浄や乾燥に際して多数の洗浄用具１０を適当な間隔で吊り下げることができるようになっている。
【００１６】
図２は、メスフラスコのガラス栓の形状を説明する図である。ガラス栓２０は、メスフラスコ本体の開口に挿入される本体部２１と、ガラス栓２０を取り扱うための頭部２２と、本体部２１及び頭部２２の間に形成されるネック部２３とを備える。円錐台状の本体部２１の周囲には、メスフラスコ本体の開口と密栓可能にするための摺合せが形成されている。くびれたネック部２３の幅Ｗは、既述のように図１に示す挟持部１１を構成する両管部分１１ａ、１１ｂの間隔とほぼ等しくなっている。また、大径の頭部２２の厚さ、すなわちネック部２３から頭部２２の頂部までの距離Ｈは、挟持部１１と係止部１２との間隔にほぼ等しくなっている。
【００１７】
図３は、図１の洗浄用具１０へのガラス栓２０の装着方法を説明する図である。まず、図３（ａ）に示すように、柄部材１３側から挟持部１１の根本側に向けてのガラス栓２０の挿入を開始する。この際、柄部材１３にガラス栓２０のネック部２３を下から押し付けて、ガラス栓２０を滑らせるようにして移動させる。さらに、管部分１１ｂと係止部１２との間にガラス栓２０のネック部２３が挟まれるようにガラス栓２０を移動させることで、両管部分１１ａ、１１ｂは、ガラス栓２０によって先端側でこじ開けられるようにわずかに離間する（図３（ｂ）参照）。次に、図３（ｃ）に示すように、ガラス栓２０を挟持部１１の先端側、すなわちＵ字屈曲部１１ｃに向けて滑らかに移動させる。この際、柄部材１３側から見てガラス栓２０を頭部２２を中心として反時計方向に１２０゜程度回転させることにより、両管部分１１ａ、１１ｂの間にガラス栓２０のネック部２３が挟まって保持される。これにより、両管部分１１ａ、１１ｂの先端における間隔がもとに戻り、挟持部１１によるガラス栓２０のロックが完了する。さらにこの回転の結果、係止部１２がガラス栓２０の頭部２２を挟持部１１側に付勢することになるので、ガラス栓２０が頭部２２側に移動して抜け出すことを確実に防止できる。以上の様な動作を繰返すことにより、洗浄用具１０に多数のガラス栓２０を徐々に取り付けることができる。なお、以上のような取付作業は、洗浄用具１０を左手に持ち、ガラス栓２０を右手に持って洗浄用具１０に取り付けることを想定しているが、洗浄用具１０を上下逆様にして右手に持ち、ガラス栓２０を左手に持って洗浄用具１０に取り付けることも可能である。
【００１８】
以上の説明とは逆に、洗浄用具１０からガラス栓２０を取り外す場合、図３（ａ）〜図３（ｃ）で説明したと逆の手順の操作を行う。すなわち、ガラス栓２０を挟持部１１の根本側まで移動させ、柄部材１３側から見てガラス栓２０を時計方向に適宜回転させることにより、挟持部１１からガラス栓２０を簡易に抜き取ることができる。
【００１９】
図４は、洗浄用具１０に多数のガラス栓２０を取り付けた状態を説明する図である。図からも明らかなように、洗浄用具１０には、順次６個のガラス栓２０が取り付けられている。この場合、各ガラス栓２０のネック部２３は、挟持部１１に挟持されて一列に並べられており、各ガラス栓２０の頭部２２は、係止部１２によって挟持部１１側に付勢されている。つまり、ガラス栓２０は、洗浄用具１０に確実に保持された状態となっており、洗浄用具１０を多少上下に振っても洗浄用具１０から脱落することはない。
【００２０】
図４の洗浄用具１０は、例えば超音波洗浄器の洗浄液や純水を収容した洗浄槽にガラス栓２０とともに浸漬されるので、洗浄槽中で６個のガラス栓２０の洗浄が実行される。この際、各ガラス栓２０の本体部２１同士が接触しないので、摺合せ面を有する各本体部２１には洗浄に際して破損が生じない。また、上記のような超音波洗浄に際してハンドル１４を利用して多数の洗浄用具１０を洗浄槽内に吊せば、同時により多数のガラス栓２０を洗浄することができる。
【００２１】
図４の洗浄用具１０は、洗浄完了後、乾燥機にガラス栓２０とともに収納され、６個のガラス栓２０の乾燥が実行される。この際、各ガラス栓２０の本体部２１同士が接触しないので、各本体部２１には乾燥に際して破損が生じない。また、上記のような乾燥に際してハンドル１４を利用して多数の洗浄用具１０を乾燥機内に吊せば、同時により多数のガラス栓２０を乾燥させることができる。
【００２２】
〔第２実施形態〕
以下、本発明に係る洗浄用具の第２実施形態について説明する。第２実施形態の洗浄用具は、第１実施形態を変形したものであり、同一部分には同一の符号を付して重複説明を省略する。
【００２３】
図５（ａ）は第２実施形態に係る洗浄用具の側面図であり、図５（ｂ）は洗浄用具の正面図である。この洗浄用具１１０も、ほぼ平行に延びる一対の管部分１１１ａ、１１１ｂからなる挟持部１１１と、この管部分１１１ａの先端で折り曲げられてこの管部分１１１ａとほぼ平行に延びる係止部１１２と、管部分１１１ｂの先端からそのまま延びる柄部材１３と、柄部材１３の先端に形成された環状のハンドル１４とを備える。第２実施形態に係る洗浄用具１１０は、作製に際して第１実施形態の洗浄用具１０とは異なる方向に管材を折り曲げることによって得られる。なお、挟持部１１１や係止部１１２の機能は、第１実施形態の洗浄用具１０を構成する挟持部１１や係止部１２の機能と同様である。
【００２４】
図６は、図５の洗浄用具１１０へのガラス栓２０の取付方法を説明する図である。まず、図６（ａ）に示すように、柄部材１３側から挟持部１１１の根本側にガラス栓２０を移動させる。この際、柄部材１３の上側にガラス栓２０のネック部２３を押しつけて滑らせながら移動させる。次に、図６（ｂ）に示すように、管部分１１１ｂと係止部１１２との間にガラス栓２０のネック部２３が挟まるようにガラス栓２０を移動させて、両管部分１１１ａ、１１１ｂをわずかに離間させる。次に、図６（ｃ）に示すように、ガラス栓２０を挟持部１１１の先端側、すなわちＵ字屈曲部１１１ｃに移動させる。この際、柄部材１３側から見てガラス栓２０を時計方向に１２０゜程度回転させることにより、両管部分１１１ａ、１１１ｂの間にガラス栓２０のネック部２３が挟まって保持される。この結果、両管部分１１１ａ、１１１ｂの先端における間隔がもとに戻る。さらにこの際、係止部１１２によってガラス栓２０の頭部２２を挟持部１１１側に付勢することになるので、ガラス栓２０が頭部２２側に移動して抜け出すことを確実に防止できる。以上の様な動作を繰返すことにより、洗浄用具１１０に多数のガラス栓２０を取り付けることができる。以上のような取付動作は、洗浄用具１１０を左手に持ち、ガラス栓２０を右手に持って洗浄用具１１０に取り付ける作業に適すると言える。
【００２５】
以上、実施形態に即して本発明を説明したが、本発明は上記実施形態に限定されるものではない。例えば、ガラス栓２０は、メスフラスコのものに限らず、広口ビンを含む各種試験容器等のガラス栓とすることができる。この場合、ガラス栓の寸法に合わせて挟持部１１、１１１や係止部１２、１１２の寸法を調整することは言うまでもない。
【００２６】
【発明の効果】
以上の説明から明らかなように、本発明の洗浄用具によれば、一対の棒状の挟持部材間に多数のガラス栓のネック部を挟持して並べることができる。また、棒状の係止部材によって一対の挟持部材に挟持された多数のガラス栓が頂部側に抜け出すことを防止することができ、これらガラス栓の保持を確実なものとすることができる。これにより、多数のガラス栓のすり合わせ部分が互いに接触することを防止しつつ、これらガラス栓を一括して簡易に洗浄・乾燥することができる。さらに、前記挟持部材から延びる柄部材を利用すれば、挟持部材等に保持された多数のガラス栓を例えば超音波洗浄器の洗浄溶液中に簡易に浸漬して支持することができ、多数のガラス栓の簡易な洗浄が可能になる。
【図面の簡単な説明】
【図１】（ａ）は、第１実施形態に係る洗浄用具の側面図であり、（ｂ）は、洗浄用具の正面図である。
【図２】メスフラスコのガラス栓の形状を説明する斜視図である。
【図３】（ａ）〜（ｃ）は、図１の洗浄用具へのガラス栓の装着方法を説明する図である。
【図４】洗浄用具に多数のガラス栓を取り付けた状態を説明する図である。
【図５】（ａ）は、第２実施形態に係る洗浄用具の側面図であり、（ｂ）は、洗浄用具の正面図である。
【図６】（ａ）〜（ｃ）は、図５の洗浄用具へのガラス栓の装着方法を説明する図である。
【符号の説明】
１０      洗浄用具
１１      挟持部
１１ａ,１１ｂ      管部分
１２      係止部
１３      柄部材
１４      ハンドル
２０      ガラス栓
２１      本体部
２２      取手
２３      ネック部
１１０      洗浄用具
１１１      挟持部
【図１】
0003686024.tif 000002
【図２】
0003686024.tif 000003
【図３】
0003686024.tif 000004
【図４】
0003686024.tif 000005
【図５】
0003686024.tif 000006
【図６】
0003686024.tif 000007